(57)【特許請求の範囲】
【請求項１】
データストリームを分配するための方法であって、
ビジネスインタラクションプラットフォームによって、サードパーティプラットフォームによってプロバイダから受信したデータストリームに従って、前記サードパーティプラットフォームから送信された取引識別情報を含む応答メッセージを受信するステップと、
前記ビジネスインタラクションプラットフォームによって、前記取引識別情報に対応する、前記データストリームの総額及び分配比率情報を取得するステップであって、前記分配比率情報が、前記ビジネスインタラクションプラットフォームで受信する修正要求を介して修正可能な１又は２以上のパラメータを含む、ステップと、
前記ビジネスインタラクションプラットフォームによって、複数の受信者のために、前記分配比率情報に従って、前記データストリームの前記総額における分配計算を実行するステップと、
前記ビジネスインタラクションプラットフォームによって、前記複数の受信者のうちの各受信者の分配額を取得するステップと、
前記ビジネスインタラクションプラットフォームによって、前記サードパーティプラットフォームが、前記分配額に従って前記受信したデータストリームを分割するために、かつ、分割したデータストリームを前記各受信者に送信するために、前記サードパーティプラットフォームに前記各受信者の前記分配額を送信するステップと
を含む方法。
【請求項２】
各受信者の分配額を取得した後、
ビジネスインタラクションプラットフォームによって、取引識別情報に対応する前記各受信者の前記分配額を含む分配計算結果を生成するステップ
をさらに含む、請求項１に記載の方法。
【請求項３】
各受信者の分配額をサードパーティプラットフォームに送信した後、
前記サードパーティプラットフォームによって、実際の分配結果に取引識別情報に対応する前記各受信者の前記分配額を記録するステップと、
ビジネスインタラクションプラットフォームによって、前記サードパーティプラットフォームから前記実際の分配結果を取得するステップと、
分配計算結果から取得した前記分配額と、前記実際の分配結果から取得した前記分配額とを照合するステップと、
分配チェック結果に前記照合した分配額を記録するステップと
をさらに含む、請求項２に記載の方法。
【請求項４】
分配チェック結果に照合した分配額を記録した後、
ビジネスインタラクションプラットフォームによって、サードパーティプラットフォームから、取引識別情報を含む引き出し情報を受信するステップと、
前記分配チェック結果に前記引き出し情報を記録するステップと、
前記ビジネスインタラクションプラットフォームによって、前記分配チェック結果から集計した統計的清算結果を取得して、前記サードパーティプラットフォームに送信することであって、前記統計的清算結果が分配計算を必要とする前記取引識別情報に対応する各受信者の分配額を含むステップと
をさらに含む、請求項２に記載の方法。
【請求項５】
分配額に従って受信したデータストリームを分割するために、かつ、分割したデータストリームを受信者の各々に送信するために、サードパーティプラットフォームに前記分配額を送信するステップが、
前記サードパーティプラットフォームによって、統計的清算結果の記録に従って前記受信したデータストリームを分割し、前記各受信者に送信するステップ
をさらに含む、請求項４に記載の方法。
【請求項６】
分割したデータストリームを受信者の各々に送信するために、サードパーティプラットフォームに分配額を送信した後、
前記サードパーティプラットフォームによって、実際の清算結果にデータストリーム分配情報を記録するステップと、
ビジネスインタラクションプラットフォームによって、前記サードパーティプラットフォームから前記実際の清算結果を取得して、統計的清算結果から取得した前記分配額と、前記実際の清算結果から取得した前記分配額とを照合するステップと、
分配チェック結果に前記照合した分配額を記録するステップと
をさらに含む、請求項４又は５に記載の方法。
【請求項７】
分配チェック結果に照合した分配額を記録した後、
ビジネスインタラクションプラットフォームによって、サードパーティプラットフォームから、取引識別情報を含む実際の引き出し情報を受信するステップと、
前記分配チェック結果に前記引き出し情報を記録するステップと
をさらに含む、請求項６に記載の方法。
【請求項８】
データストリームを分配するためのシステムであって、
サードパーティプラットフォームと、ビジネスインタラクションプラットフォームとを備え、
前記サードパーティプラットフォームが、プロバイダからデータストリームを受信し、取引識別情報を含む応答メッセージを前記ビジネスインタラクションプラットフォームに送信し、前記ビジネスインタラクションプラットフォームから返された複数の受信者のうちの各受信者の分配額を受信し、前記分配額に従って前記受信したデータストリームを分割し、分割したデータストリームを前記複数の受信者のうちの前記各受信者に送信するように構成され、
前記ビジネスインタラクションプラットフォームが、前記サードパーティプラットフォームから前記取引識別情報を含む前記応答メッセージを受信し、前記取引識別情報に対応する、前記データストリームの総額及び分配比率情報を取得し、前記分配比率情報に従って分配のために前記データストリームの前記総額における分配計算を行って、前記各受信者の前記分配額を取得し、前記取引識別情報に対応する前記各受信者の前記分配額を前記サードパーティプラットフォームに送信するように構成され、前記ビジネスインタラクションプラットフォームが、分配比率情報に関する修正要求を受信して前記分配比率情報のパラメータを修正するように構成された修正手段を備える構成手段を備える、システム。
【請求項９】
サードパーティプラットフォームが、応答フィードバック手段と、分配手段とを備え、
ビジネスインタラクションプラットフォームが、分配額送信手段をさらに備える、請求項８に記載のシステム。
【請求項１０】
応答フィードバック手段が、プロバイダからデータストリームを受信し、分配手段に送信し、取引識別情報を含む応答メッセージを構成手段に送信するように構成され、
前記構成手段が、前記取引識別情報を含む前記応答メッセージを受信し、前記取引識別情報に対応する、前記データストリームの総額及び分配比率情報を取得し、前記分配比率情報に従って前記データストリームの前記総額における分配計算を行い、各受信者の分配額を取得し、分配額送信手段に送信するように構成され、
前記分配額送信手段が、前記各受信者の前記分配額を前記分配手段に送信するように構成され、
前記分配手段が、前記分配額に従って、前記分配額送信手段から前記各受信者の前記分配額を受信し、かつ、前記受信したデータストリームを分割した後、前記各受信者に送信するように構成される、請求項９に記載のシステム。
【請求項１１】
ビジネスインタラクションプラットフォームが、照合手段をさらに備え、
構成手段が、各受信者の分配額を取得した後、分配計算結果を生成するようにさらに構成され、前記分配計算結果が、取引識別情報に対応する前記各受信者の前記分配額を含み、
分配手段が、分配額送信手段から前記各受信者の前記分配額を受信した後、実際の分配結果に前記取引識別情報に対応する前記各受信者の前記分配額を記録するようにさらに構成され、
前記照合手段が、前記分配手段から前記実際の分配結果を取得するように、前記構成手段から前記分配計算結果を取得するように、前記分配計算結果からの分配額情報と前記実際の分配結果からの前記分配額情報とを照合するように、かつ、分配チェック結果に前記照合した分配額情報を記録するように構成される、請求項１０に記載のシステム。
【請求項１２】
ビジネスインタラクションプラットフォームが、清算手段をさらに備え、
照合手段がまた、分配チェック結果に照合した分配額情報を記録した後、サードパーティプラットフォームから、取引識別情報を含む引き出し情報を受信するように、かつ、前記分配チェック結果に前記引き出し情報を記録するようにも構成され、
前記清算手段が、前記照合手段から前記分配チェック結果を取得し、前記分配チェック結果を集計して、統計的清算結果を取得し、分配額送信手段に送信するように構成され、前記統計的清算結果が、分配清算を必要とする前記取引識別情報に対応する各受信者の分配額を含み、
前記分配額送信手段が、前記統計的清算結果を分配手段に送信するようにさらに構成され、
前記分配手段がまた、前記統計的清算結果の記録に従って、受信したデータストリームを分割し、前記各受信者に送信するようにも構成される、請求項１１に記載のシステム。
【発明の詳細な説明】
【技術分野】
【０００１】
関連出願の相互参照
本出願は、その内容全体が参照により本明細書に組み込まれている、２０１２年９月１４日に出願した中国特許出願第ＣＮ２０１２１０３４１２６７８号明細書の優先権を主張するものである。
【０００２】
本開示は、データ処理技術の分野に関し、より詳細には、データストリームを分配及び処理するための方法及びシステムに関する。
【背景技術】
【０００３】
データストリームを分配するための現在のプロセスでは、サードパーティプラットフォームは、プロバイダからデータストリームを受信し、次いで、指定されたターゲット受信者にデータストリームを転送することができる。ターゲット受信者は、次いで、他の受信者（複数可）との合意された比率に従ってデータストリームを分割し、分割されたデータを他の受信者（複数可）に送信することができる。
【０００４】
現在、サードパーティプラットフォームは、指定されたターゲット受信者にデータストリームを転送することしかできない。サードパーティプラットフォームが、データストリームをさらに分配及び分割し、分割したデータを、データストリームの一部分を受信するために参加する受信者（複数可）に直接送信することが望ましい。すなわち、データストリームを分配するためのプロセス中にどの受信者も参加しないことが望ましい。
【発明の概要】
【課題を解決するための手段】
【０００５】
様々な実施形態によれば、データストリームを分配するための方法が提供される。サードパーティプラットフォームによってプロバイダから受信したデータストリームに従って、サードパーティプラットフォームから送信された取引識別情報を包含する応答メッセージが、ビジネスインタラクションプラットフォームによって受信され得る。取引識別情報に対応する、データストリームの総額及び分配比率情報が、ビジネスインタラクションプラットフォームによって取得され得る。分配計算が、ビジネスインタラクションプラットフォームによって、受信者のために、分配比率情報に従って、データストリームの総額において行われ得る。複数の受信者のうちの各受信者の分配額が、ビジネスインタラクションプラットフォームによって取得され得る。サードパーティプラットフォームが、分配額に従って、受信したデータストリームを分割するために、及び、分割したデータストリームを各受信者に送信するために、各受信者の分配額が、ビジネスインタラクションプラットフォームによって、サードパーティプラットフォームに送信され得る。
【０００６】
様々な実施形態によれば、データストリームを分配するためのシステムも提供される。システムは、サードパーティプラットフォームと、ビジネスインタラクションプラットフォームとを含み得る。サードパーティプラットフォームが、プロバイダからデータストリームを受信し、取引識別情報を包含する応答メッセージを、ビジネスインタラクションプラットフォームに送信し、ビジネスインタラクションプラットフォームから返された受信者のうちの各受信者の分配額を受信し、分配額に従って、受信したデータストリームを分割し、分割したデータストリームを、複数の受信者のうちの各受信者に送信するように構成され得る。ビジネスインタラクションプラットフォームが、サードパーティプラットフォームから、取引識別情報を包含する応答メッセージを受信し、取引識別情報に対応する、データストリームの総数及び分配比率情報を取得し、分配比率情報に従って、分配のためにデータストリームの総数を計算して、各受信者の分配額を取得し、取引識別情報に対応する各受信者の分配額を、サードパーティプラットフォームに送信するように構成され得る。
【０００７】
本開示の他の態様又は実施形態は、本開示の明細書、特許請求の範囲、及び図面に照らして、当業者によって理解され得る。
【図面の簡単な説明】
【０００８】
以下の図面は、様々な開示する実施形態による説明の目的のための例にすぎず、本開示の範囲を限定するように意図されるものではない。
【図１】様々な開示する実施形態による、データストリームを分配するための例示的な方法を示す図である。
【図２】様々な開示する実施形態による、データストリームの分配を計算するための例示的な方法を示す図である。
【図３】様々な開示する実施形態による、計算された分配額を検証するため、及び、データストリームを清算するための例示的な方法を示す図である。
【図４】様々な開示する実施形態による、データストリームを分配するための例示的なシステムを示す図である。
【図５】いくつかの開示する実施形態を組み込む例示的な環境を示す図である。
【図６】開示する実施形態に一致する例示的なサーバを示す図である。
【発明を実施するための形態】
【０００９】
次に、添付の図面に示す、本開示の例示的な実施形態を詳細に参照する。可能な場合はいつでも、同じ参照番号は、図面全体を通して、同じ又は同様の部分を示すために使用される。
【００１０】
サードパーティプラットフォームは、通常、指定されたターゲット受信者にデータストリームを転送し、データストリームを分配することはできない。電子商取引の取引における金額データストリームの分配に関連する一例では、複数の受金者が、様々なビジネスインタラクションに関与することがある。これには、ユーザによって支払われた、金額データストリームが、複数の受金者間で、ある比率に従って分配されることが必要である。しかしながら、サードパーティプラットフォームは、受信した金額データストリームを、受金者のうちの１人に送信するのみである。金額データストリームを受信した受信者は、次いで、他の受信者との取り決められた比率に従って、金額データストリームを分割し、次いで、分割した金額データストリームを、他の受信者のすべてに送信する。
【００１１】
しかしながら、本明細書で開示するように、（「オフザネットワーク（off the network）」又は「オフライン」とは対照的な）ネットワーク側のビジネスインタラクションプラットフォーム（business interaction platform）が使用されて、サードパーティプラットフォームが、プロバイダから提供されたデータストリームを受信者のすべてに直接送信すること、及び、データストリームを自動的に分配することが容易になる。
【００１２】
図１〜４は、様々な開示する実施形態による、データストリームを分配及び処理するための例示的な方法及びシステムを示す。例示的な方法及びシステムは、例えば、図５に示すような例示的な環境５００において、実施され得る。
【００１３】
図５に示すように、環境５００は、サーバ５０４と、端末５０６と、通信ネットワーク５０２とを含み得る。サーバ５０４及び端末５０６は、情報交換、例えば、インターネット検索、ウェブページブラウジングなどのために、通信ネットワーク５０２を介して接続され得る。１つの端末５０６及び１つのサーバ５０４のみを環境５００に示すが、任意の数の端末５０６又はサーバ５０４が含まれてもよく、他のデバイスもまた含まれてもよい。
【００１４】
通信ネットワーク５０２は、サーバ５０４及び端末５０６に、又は、複数のサーバ５０４若しくは端末５０６の間で、ネットワーク接続を提供するための任意の適切なタイプの通信ネットワークを含み得る。例えば、通信ネットワーク５０２は、有線又は無線のいずれかで、インターネット、又は、他のタイプのコンピュータネットワーク若しくは電気通信ネットワークを含み得る。様々な実施形態では、通信ネットワーク５０２は、データストリームを分配及び／又は処理するために使用されるネットワークであり得る。
【００１５】
本明細書で使用する端末は、あるコンピューティング能力をもつ任意の適切なユーザ端末デバイス、例えば、パーソナルコンピュータ（ＰＣ）、ワークステーションコンピュータ、ノートブックコンピュータ、車用コンピュータ（例えば、車又は他の車両内で運ぶ）、サーバコンピュータ、ハンドヘルドコンピューティングデバイス（例えば、タブレットコンピュータ）、モバイル端末（例えば、携帯電話、スマートフォン、ｉＰａｄ、及び／又はａＰａｄ）、ＰＯＳ（すなわち、ポイントオブセールス）デバイス、又は、任意の他のユーザ側コンピューティングデバイスを指すことがある。様々な実施形態では、「端末」及び「端末デバイス」という用語は、互換的に使用され得る。
【００１６】
本明細書で使用するサーバは、あるサーバ機能性、例えば、検索エンジン及びデータベース管理を提供するように構成された、１又は２以上のサーバコンピュータを指すことがある。サーバはまた、コンピュータプログラムを並列に実行するために、１又は２以上のプロセッサを含み得る。
【００１７】
サーバ５０４及び端末５０６は、データストリームを分配するための各関係者（例えば、サードパーティプラットフォーム、プロバイダ、ビジネスインタラクションプラットフォームなど）のうちの１又は２以上であり得る。サーバ５０４及び端末５０６は、任意の適切なコンピューティングプラットフォーム上で実装され得る。図６は、サーバ５０４及び／又は端末５０６を実装可能な、例示的なコンピューティングシステム６００のブロック図を示す。図６に示すように、例示的なコンピュータシステム６００は、プロセッサ６０２と、記憶媒体６０４と、モニタ６０６と、通信モジュール６０８と、データベース６１０と、周辺機器６１２と、それらのデバイスを互いに接続するための１又は２以上のバス６１４とを含み得る。いくつかのデバイスが省略されてもよく、他のデバイスが含まれてもよい。
【００１８】
プロセッサ６０２は、任意の適切な１又は２以上のプロセッサを含み得る。さらに、プロセッサ６０２は、マルチスレッド又は並列処理のための複数のコアを含み得る。記憶媒体６０４は、メモリモジュール、例えば、ＲＯＭ、ＲＡＭ、及びフラッシュメモリモジュール、並びに、大容量記憶装置、例えば、ＣＤ−ＲＯＭ、Ｕ−ディスク、リムーバブルハードディスクなどを含み得る。記憶媒体６０４は、プロセッサ６０２によって実行されるとき、様々なプロセスを実施するための、コンピュータプログラムを記憶することができる。
【００１９】
さらに、周辺機器６１２は、Ｉ／Ｏデバイス、例えば、キーボード及びマウスを含んでもよく、通信モジュール６０８は、通信ネットワーク５０２を介して接続を確立するためのネットワークデバイスを含んでもよい。データベース６１０は、あるデータを記憶するため、及び、記憶したデータにおいていくつかの操作、例えば、ウェブページブラウジング、データベース検索、データストリーム分配などを行うための、１又は２以上のデータベースを含み得る。
【００２０】
端末５０６は、動作時、いくつかのアクション、例えば、インターネット検索又は他のデータベース操作を、サーバ５０４に実行させ得る。サーバ５０４は、そのようなアクション及び動作のための構造及び機能を提供するように構成され得る。より詳細には、サーバ５０４は、リアルタイムデータベース検索のためのデータ検索システムを含み得る。様々な実施形態では、端末、例えば、開示する方法及びシステムに関与するモバイル端末は、端末５０６を含み得る。
【００２１】
図１は、様々な開示する実施形態による、データストリームを分配するための例示的な方法を示す。
【００２２】
ステップ１０１で、サードパーティプラットフォームが、プロバイダからデータストリームを受信し、取引識別情報（business identification）を包含する応答メッセージを、ビジネスインタラクションプラットフォームに送信する。
【００２３】
ステップ１０２で、ビジネスインタラクションプラットフォームが、取引識別情報に対応する、データストリームの総額及び分配比率情報を取得し、分配比率情報に従って、データストリームの総額における分配計算を行い、受信者の各々の分配額を取得する。
【００２４】
異なる取引タイプは、異なる分配比率情報に対応することができる。取引識別情報は、例えば、取引注文番号を含み得る。取引注文番号は、対応する取引タイプを識別することができる。例えば、取引注文番号の最初の４桁が、取引タイプを示すために使用され得る。このように、取引タイプを、取引注文番号に基づいて知ることができる。分配比率情報を、取引タイプに基づいて知ることができる。
【００２５】
分配比率情報は、受信者の各々によって共有されるデータストリームを計算するために使用される情報を含み得る。例えば、パラメータをもつ公式を使用することができ、パラメータを必要に応じて修正することができる。したがって、ビジネスインタラクションプラットフォームは、分配比率情報に関する修正要求を受信して、分配比率情報のパラメータを修正することができる。
【００２６】
ステップ１０３で、ビジネスインタラクションプラットフォームが、取引識別情報に対応する各受信者の分配額を、サードパーティプラットフォームに送信することができる。
【００２７】
ステップ１０４で、サードパーティプラットフォームが、分配額に従って、受信したデータストリームを分割し、次いで、分割したデータストリームを各受信者に送信する。
【００２８】
データ分配の正確さを向上させるために、ステップ１０４を実行する前に、各受信者の分配額の照合が可能であってもよい。
【００２９】
例えば、ステップ１０２で、受信者の各々の分配額を取得した後、開示する方法は、ビジネスインタラクションプラットフォームが分配計算結果を生成することをさらに含んでもよく、分配計算結果は、取引識別情報に対応する各受信者の分配額を包含する。
【００３０】
別の例では、ステップ１０３を実行した後、開示する方法は、サードパーティプラットフォームが、取引識別情報に対応する各受信者の分配額を、実際の分配結果に記録すること、ビジネスインタラクションプラットフォームが、サードパーティプラットフォームから実際の分配結果を取得し、分配計算結果から取得した分配額と、実際の分配結果から取得した分配額とを比較することができることを、さらに含み得る。分配計算が照合される（例えば、実際の額が計算された額と同じである）と、照合された分配額が、分配チェック結果に記録され得る。
【００３１】
さらに、分配額がチェックによって照合され、分配チェック結果に記録された後、開示する方法は、以下をさらに含み得る。
【００３２】
ビジネスインタラクションプラットフォームは、サードパーティプラットフォームから、取引識別情報を包含する引き出し情報を受信し、引き出し情報は、分配チェック結果に記録されてもよく、ビジネスインタラクションプラットフォームは、分配チェック結果から集計した統計的清算結果を取得し、次いで、サードパーティプラットフォームに送信することができる。統計的清算結果は、分配計算を必要とする取引識別情報に対応する各受信者の分配額を含み得る。
【００３３】
したがって、ステップ１０４は、サードパーティプラットフォームが、統計的清算結果の記録に従って受信したデータストリームを分割し、各受信者に送信することを、含み得る。
【００３４】
さらに、ステップ１０４で、サードパーティプラットフォームが、分割したデータストリームを各受信者に分配した後、この方法は、サードパーティプラットフォームが、データストリーム分配情報を実際の清算結果に記録することを、さらに含み得る。
【００３５】
ビジネスインタラクションプラットフォームは、サードパーティプラットフォームから実際の清算結果を取得して、統計的清算結果から取得した分配額と、実際の清算結果から取得した分配額とを照合することができる。分配計算が照合される（すなわち、実際の額が計算された額と同じである）と、照合された分配額が、分配チェック結果に記録され得る。
【００３６】
さらに、照合された分配額を分配チェック結果に記録した後、開示する方法は、ビジネスインタラクションプラットフォームが、サードパーティプラットフォームから、取引識別情報を包含する実際の引き出し情報を受信すること、実際の引き出し情報が分配チェック結果に記録され得ることを、さらに含み得る。
【００３７】
本明細書で開示するように、ネットワーク側のビジネスインタラクションプラットフォームが使用されて、サードパーティプラットフォームが、プロバイダから提供されたデータストリームを受信者の各々に直接送信して、データストリームを自動的に分配することが容易になる。
【００３８】
図２〜３は、様々な開示する実施形態による、イーディストリビューション（e-distribution）に関連するデータストリームを分配するための例示的な方法を示す。この例では、分配のためのデータストリームの一例は、金額データストリームを含み、ビジネスインタラクションプラットフォームの一例は、電子商取引プラットフォームであり、サードパーティプラットフォームの一例は、電子決済プラットフォームである。図２は、データストリームの分配を計算するための例示的な方法を示す。
【００３９】
ステップ２０１で、電子商取引プラットフォームが、ユーザのログインデータを受信し、認証後、ユーザが発注すると、アクション情報を取得する。
【００４０】
ステップ２０２で、電子商取引プラットフォームが、注文システムにおいて注文情報を生成し、電子決済プラットフォームに決済要求を開始する。
【００４１】
注文情報は、例えば、ユーザ情報、取引注文番号、及び／又は決済識別情報を含み得る。注文情報はまた、例えば、製品の販売価格及び／又は供給価格を含む、例えば、ユーザが支払う必要のあるデータストリームの合計金額を含み得る。
【００４２】
ステップ２０３で、電子決済プラットフォームは、ユーザの決済を確認すると、取引注文番号を包含する成功した決済についての情報を、電子商取引プラットフォームに返す。電子決済プラットフォームがユーザの決済アクションを確認することは、電子決済プラットフォームがユーザによって支払われる金額を受け入れることを意味する。
【００４３】
ステップ２０４で、電子商取引プラットフォームが、決済情報に包含された取引注文番号に対応する、データストリームの総額及び分配比率情報を取得する。
【００４４】
ステップ２０２で生成された注文情報は、取引注文番号及びデータストリームの総額を包含する。したがって、データストリームの総額は、決済情報に包含された取引注文番号に従って取得され得る。
【００４５】
異なる取引タイプは、異なる分配比率情報に対応することができる。取引識別情報は、例えば、取引注文番号を含み得る。取引注文番号は、対応する取引タイプを識別することができる。例えば、取引注文番号の最初の４桁が、取引タイプを示すために使用され得る。このように、取引タイプを、取引注文番号に基づいて知ることができる。分配比率情報を、取引タイプに基づいて知ることができる。
【００４６】
実際的な必要性として要求されるように、ビジネスインタラクションプラットフォームは、異なる取引タイプのための異なる分配比率情報を有するように構成され得る。本明細書で開示するように、取引識別情報は、例えば、取引注文番号を含み得る。取引注文番号は、対応する取引タイプを識別することができる。例えば、取引注文番号の最初の４桁が、取引タイプを示すために使用され得る。このように、取引タイプを、取引注文番号に基づいて知ることができる。分配比率情報を、取引タイプに基づいて知ることができる。
【００４７】
分配比率情報は、受信者の各々によって共有されるデータストリームを計算するために使用される情報を含み得る。例えば、パラメータをもつ公式が使用され得る。一例では、４人の受信者、すなわち、電子決済プラットフォーム受信者（例えば、サードパーティ）、サプライヤ受信者、ディストリビュータ受信者、及び電子商取引プラットフォーム受信者がいると仮定すると、各受信者のためのデータストリーム比率情報は、以下のような比率式を含んでもよく、すなわち、電子決済プラットフォーム受信者：Ｔ％、サプライヤ受信者：Ｎ／Ｍ×９９．７％、ディストリビュータ受信者：Ｆ％、電子商取引プラットフォーム受信者：１−（Ｔ％＋Ｎ／Ｍ×９９．７％＋Ｆ％）であり、ただし、Ｍは製品の販売価格であり、Ｎは製品の供給価格であり、Ｔ又はＦは、定数パラメータであり、必要に応じて修正され得る。
【００４８】
注文情報は、製品販売価格Ｍ及び供給価格Ｎを含み得る。Ｍ及びＮが決定されると、受信者の分配比率は、比率式に従って取得され得る。
【００４９】
ステップ２０５で、電子商取引プラットフォームが、分配比率情報に従って、データストリームの総数の分配を計算して、各受信者の分配額を取得することができる。製品の販売価格Ｍに各受信者の分配比率を乗じると、各受信者の分配額が受信され得る。
【００５０】
ステップ２０６で、電子商取引プラットフォームが、分配計算結果を生成する。分配結果は、取引識別情報に対応する各受信者の分配額を包含する。
【００５１】
ステップ２０７で、電子商取引プラットフォームが、取引識別情報に対応する各受信者の分配額を、電子決済プラットフォームに送信する。
【００５２】
図３は、様々な開示する実施形態による、計算された分配額を検証するため、及び、データストリームを清算するための例示的な方法を示す。
【００５３】
ステップ３１で、電子決済プラットフォームが、電子商取引プラットフォームから、取引注文番号に対応する各受信者の分配額を受信し、実際の分配結果に記録する。
【００５４】
ステップ３２で、電子商取引プラットフォームが、電子決済プラットフォームから実際の分配結果を取得する。分配計算結果から取得した分配額と、実際の分配結果から取得した分配額とが、照合される。分配計算が照合される（例えば、実際の額が計算された額と同じである）と、照合された分配額が、分配チェック結果に記録され得る。
【００５５】
同じ取引注文番号について、分配計算結果からの分配額が、実際の分配結果に記録された分配額と同じであるとき、照合されたと見なされる。そうでない場合、分配計算結果からの分配額が、実際の分配結果に記録された分配額と同じでないとき、検証が失敗すると見なされる。失敗情報は、関連スタッフに送信され得る。
【００５６】
分配チェック結果を受信した後、レポートが規定のフォーマットで生成され、請求側に送信され得る。例えば、サプライヤによって要求されるような、サプライヤ収益監査レポート１が生成され得る。別の例では、電子商取引プラットフォームによって使用され、それら自体のために保存される、仮想収益監査レポート１が生成され得る。
【００５７】
ステップ３３で、電子商取引プラットフォームが、電子決済プラットフォームから、取引識別情報を包含する引き出し情報を受信する。引き出し情報は、分配チェック結果に記録され得る。
【００５８】
この段階で、引き出し情報のタイプが、払い戻しタイプ１として示され得る。ユーザは、電子決済プラットフォームへの払い戻し要求を開始することができる。電子決済プラットフォームは、引き出し情報を、電子商取引プラットフォームへ戻すように送信する。
【００５９】
ステップ３４で、電子商取引プラットフォームが、分配チェック結果から集計した統計的清算結果を取得し、イーペイメント（e-payment）プラットフォームに送信することができる。統計的清算結果は、分配計算を必要とする取引識別情報に対応する各受信者の分配額を含み得る。
【００６０】
分配チェック結果から集計した統計的清算結果は、取引注文番号を包含する引き出し情報を取得すること、分配チェック結果から取引注文番号に関する記録を除去すること、及び、統計的清算結果を取得することを含み得る。
【００６１】
ステップ３５で、電子決済プラットフォームが、統計的清算結果に従って、受信したデータストリームを分割し、各受信者に送信する。データストリーム分配情報は、実際の清算結果に記録され得る。
【００６２】
電子決済プラットフォームは、統計的清算結果の記録に従って、金額を分割し、各受信者の組合銀行口座に送信する。実際の清算結果は、各受信者に、実際に送信された金額データストリームの記録を含み得る。
【００６３】
ステップ３６で、電子商取引プラットフォームが、電子決済プラットフォームから実際の清算結果を取得する。統計的清算結果からのデータストリームの分配情報と、実際の清算結果からのデータストリームの分配情報とが、照合され得る。照合されたデータストリームの分配情報は、分配チェック結果に記録され得る。
【００６４】
同じ取引注文番号について、実際の清算結果からの分配額が、統計的清算結果に記録された分配額と同じであるとき、照合されたと見なされる。そうでない場合、実際の清算結果からの分配額が、統計的清算結果に記録された分配額と同じでないとき、検証が失敗すると見なされる。失敗情報は、関係者に送信され得る。
【００６５】
ステップ３７で、電子商取引プラットフォームが、電子決済プラットフォームから、取引注文番号を包含する実際の引き出し情報を受信する。実際の引き出し情報は、分配チェック結果に記録される。
【００６６】
この段階で、引き出し情報のタイプが、払い戻しタイプ２として示され得る。ユーザは、電子決済プラットフォームへの払い戻し要求を開始することができる。電子決済プラットフォームは、引き出し情報を、電子商取引プラットフォームへ戻すように送信することができる。
【００６７】
分配チェック結果を取得した後、規定のフォーマットにおけるレポートが生成され、請求側に送信され得る。例えば、サプライヤによって要求されるサプライヤ収益監査レポート２が生成され得る。別の例では、電子商取引プラットフォームによって使用され、それら自体のために保存される、仮想収益監査レポート２が生成され得る。
【００６８】
最終的に生成された分配チェック結果は、関連スタッフがデータ統計、照会などを行うための、実際の金額清算レポートであり得る。
【００６９】
本明細書で開示するように、金額データストリームの分配は、リアルタイムの動的な分離トランザクションを実現する。トランザクションのリアルタイム分離が、製品の価格変更に関して実現されて、様々な利害関係者又は受信者の各々のための分離比率（例えば、分配比率）が実現され得る。加えて、実際の調整では、トランザクション中に分離情報エラーが出現するとき、即時アラームを可能にすることができる。複数のデータ妥当性検査によって、清算／口座レポートを安全及び正確にして、分離、調整、清算などのセキュリティを保証することができる。清算レポート（又はステートメント）は、リアルタイムのデータ更新のための決済情報における変更をサポートして、正確な清算データを保証することができる。
【００７０】
図４は、様々な開示する実施形態による、データストリームを分配するための例示的なシステムを示す。例示的なシステムは、サードパーティプラットフォーム、及び／又はビジネスインタラクションプラットフォームを含み得る。
【００７１】
サードパーティプラットフォームは、プロバイダからデータストリームを受信し、取引識別情報を包含する応答メッセージを、ビジネスインタラクションプラットフォームに送信し、ビジネスインタラクションプラットフォームから返された各受信者の分配額を受信し、分配額に従って、受信したデータストリームを分割し、各受信者に送信するように構成される。
【００７２】
ビジネスインタラクションプラットフォームは、サードパーティプラットフォームから、取引識別情報を包含する応答メッセージを受信し、取引識別情報に対応する、データストリームの総数及び分配比率情報を取得するように構成される。分配比率情報に従って、データストリームの総数が分配のために計算されて、各受信者の分配額が取得される。取引識別情報に対応する各受信者の分配額は、サードパーティプラットフォームに送信され得る。
【００７３】
サードパーティプラットフォームは、応答フィードバック部及び分配部を含むことが可能であってもよい。ビジネスインタラクションプラットフォームは、構成部及び分配額送信部を含み得る。
【００７４】
応答フィードバック部は、プロバイダからデータストリームを受信し、分配部に送信し、取引識別情報を包含する応答メッセージを構成部に送信するように構成される。
【００７５】
構成部は、取引識別情報を包含する応答メッセージを受信し、取引識別情報に対応する、データストリームの総額及び分配比率情報を取得し、分配比率情報に従って、データストリームの総額における分配計算を行い、各受信者の分配額を取得し、分配額送信部に送信するように構成される。
【００７６】
分配額送信部は、各受信者の分配額を分配部に送信するように構成される。分配部は、分配額に従って、分配額送信部から、各受信者の分配額を受信するように、及び、受信したデータストリームを分割した後、各受信者に送信するように構成される。
【００７７】
構成部は、分配比率情報に関する修正要求を受信して、分配比率情報のパラメータを修正するように構成された、修正部を含んでいてもよい。ビジネスインタラクションプラットフォームは、照合部をさらに含んでいてもよい。
【００７８】
構成部は、各受信者の分配額を受信した後、分配計算結果を生成するようにさらに構成される。分配計算結果は、取引識別情報に対応する各受信者の分配額を含み得る。
【００７９】
分配部は、分配額送信部から各受信者の分配額を受信した後、取引識別情報に対応する各受信者の分配額を、実際の分配結果に記録するようにさらに構成される。
【００８０】
照合部は、分配部から実際の分配結果を取得するように、構成部から分配計算結果を取得するように、分配計算結果からの分配額情報と、実際の分配結果からの分配額情報とを照合及び検証するように、かつ、照合された分配額情報を分配チェック結果に記録するように構成される。
【００８１】
ビジネスインタラクションプラットフォームは、清算部（又は、会計部）をさらに含んでいてもよい。照合部はまた、照合された分配額情報を分配チェック結果に記録した後、サードパーティプラットフォームから、取引識別情報を包含する引き出し情報を受信し、引き出し情報を分配チェック結果に記録するようにも構成される。
【００８２】
清算部は、照合部から分配チェック結果を取得し、分配チェック結果を集計して、統計的清算結果を取得し、分配額送信部に送信するように構成される。統計的清算結果は、分配清算を必要とする取引識別情報に対応する各受信者の分配額を包含することができる。
【００８３】
分配額送信部は、統計的清算結果を分配部に送信するようにさらに構成される。分配部はまた、統計的清算結果の記録に従って、受信したデータストリームを分割し、各受信者に送信するようにも構成される。
【００８４】
電子商取引トランザクションでは、ユーザは、製品（例えば、コール）を購入する。適切な金額を支払った後、構成部は、購入された製品の情報（例えば、注文ＩＤ、サプライヤ、供給価格、販売価格などを含む）を引き出し、この注文の分配比率情報をリアルタイムで取得し、関与する受信者又は利害関係者のための分離金額を計算し、生成された分離金額を照合部に送信することができる。照合部及び清算部は、構成部によって送信された分離金額情報に応じて、サードパーティプラットフォームからの実際の分離されたデータと照合及び集計し、サードパーティプラットフォームに送信して、清算レポートを生成し、サードパーティプラットフォームに送信するように構成される。サードパーティプラットフォームは、次いで、清算レポートに従って金額を支払うことができる。
【００８５】
従来の電子商取引トランザクションでは、金額を、合意された比率に従って、オフラインでのみ分離して、分離トランザクションを完成することができ、それにより、（例えば、サプライヤ、販売チャネル、販売時間、及び他の要因のために）価格が変更になると、リアルタイムの動的な分離トランザクションを提供することができない。開示するように、分配比率情報と組み合わせることによって、リアルタイムの動的な分離トランザクションが、各注文の価格に従って、ネットワーク側で実現され得る。加えて、リアルタイムの動的な分離トランザクション後、払い戻し情報が記録されて、トランザクションデータがリアルタイムで更新され得る。
【００８６】
本開示では、各実施形態を徐々に説明し、すなわち、各実施形態を説明し、実施形態間の違いに焦点を合わせることに留意されたい。様々な実施形態間の同様及び／又は同じ部分は、互いに参照され得る。加えて、例示的な装置を、対応する方法に関して説明する。
【００８７】
「備える（comprising）」、「含む（including）」という用語、又は、他のいかなるその変形態も、非排他的な包含をカバーし、いくつかの要素を包含するプロセス、方法、物品、又は装置がまた、それらの要素のみを含むのではなく、明確に記載されていない他の要素をも含むことが、又は、プロセス、方法、物品、若しくは装置の固有の要素をさらに含むことが意図されることに留意されたい。さらなる制限なしに、「．．．．．．を含む」という記述は、それらの要素を有するプロセス、方法、物品、又は装置内に含まれる他の要素を除外しない。
【００８８】
本明細書に含まれるモジュールを、それらの機能的な論理に従って説明するが、モジュールが対応する機能を実装することができる限り、上記の説明に限定されないことは、当業者には理解することができよう。さらに、各機能的モジュールの特定の名称は、本開示の保護範囲を限定することなく、互いに区別するために使用される。
【００８９】
様々な実施形態では、開示するモジュールは、望むなら、１つの装置内に構成され、又は、複数の装置内に構成され得る。本明細書で開示するモジュールは、１つのモジュール内に、又は複数のモジュール内に統合され得る。本明細書で開示するモジュールの各々は、１又は２以上のサブモジュールに分割されてもよく、サブモジュールは、任意の方法で再結合され得る。
【００９０】
好適なソフトウェア及び／又はハードウェア（例えば、汎用ハードウェアプラットフォーム）が、開示する方法及びシステムにおいて含まれてもよく、使用されてもよいことは、当業者には諒解されよう。例えば、開示する実施形態は、ハードウェアのみによって実施され得るが、それは、代替的に、ソフトウェア製品のみによって実施され得る。ソフトウェア製品は、例えば、ＲＯＭ／ＲＡＭ、磁気ディスク、光ディスクなどを含む、コンピュータ可読記憶媒体に記憶され得る。ソフトウェア製品は、端末デバイス（例えば、携帯電話、パーソナルコンピュータ、サーバ、又はネットワークデバイスなどを含む）が、開示する実施形態を実施することを可能にするために、好適なコマンドを含み得る。
【００９１】
本明細書で開示する実施形態は、例示的なものにすぎない。開示する実施形態に対する他の適用例、利点、改変、修正、又は均等物は、当業者には明らかであり、本開示の範囲内に包含されるように意図される。
【産業上の利用可能性】
【００９２】
いかなる請求項及び／又は明細書の範囲を限定することもなく、開示する実施形態の産業上の利用可能性及びいくつかの有利な効果の例を、説明の目的で記載する。開示する実施形態の技術的解決策に対する様々な改変、修正、又は均等物は、当業者には明らかであり得るものであり、本開示に含まれ得る。
【００９３】
本明細書で開示するように、（「オフザネットワーク」又は「オフライン」とは対照的な）ネットワーク側のビジネスインタラクションプラットフォームが使用されて、サードパーティプラットフォームが、プロバイダから提供されたデータストリームを受信者のすべてに直接送信すること、及び、データストリームを自動的に分配することが容易になる。
【００９４】
電子商取引トランザクションでは、ユーザは、製品（例えば、コール）を購入する。適切な金額を支払った後、構成部は、購入された製品の情報（例えば、注文ＩＤ、サプライヤ、供給価格、販売価格などを含む）をプルし、この注文の分配比率情報をリアルタイムで取得し、関与する受信者又は利害関係者のための分離金額を計算し、生成された分離金額を照合部に送信することができる。照合部及び清算部は、構成部によって送信された分離金額情報に応じて、サードパーティプラットフォームからの実際の分離されたデータと照合及び集計し、サードパーティプラットフォームに送信して、清算レポートを生成し、サードパーティプラットフォームに送信するように構成される。サードパーティプラットフォームは、次いで、清算レポートに従って金額を支払うことができる。
【００９５】
従来の電子商取引トランザクションでは、金額を、合意された比率に従って、オフラインでのみ分離して、分離トランザクションを完成することができ、それにより、（例えば、サプライヤ、販売チャネル、販売時間、及び他の要因のために）価格が変更になると、リアルタイムの動的な分離トランザクションを提供することができない。開示するように、分配比率情報と組み合わせることによって、リアルタイムの動的な分離トランザクションが、各注文の価格に従って、ネットワーク側で実現され得る。加えて、リアルタイムの動的な分離トランザクション後、払い戻し情報が記録されて、トランザクションデータがリアルタイムで更新され得る。
【符号の説明】
【００９６】
５００  環境
５０２  通信ネットワーク
５０４  サーバ
５０６  端末
６０２  プロセッサ
６０４  記憶媒体
６０６  モニタ
６０８  通信
６１０  データベース
６１２  周辺機器
【図１】
0006457391.tif 000002
【図２】
0006457391.tif 000003
【図３】
0006457391.tif 000004
【図４】
0006457391.tif 000005
【図５】
0006457391.tif 000006
【図６】
0006457391.tif 000007